(57)【特許請求の範囲】
【請求項１】
画像を表示する第１および第２の表示デバイスとの間で画像信号を送受信する送受信部と、
自装置に形成されたメモリカードの第１の挿入ソケットまたは前記第２の表示デバイスに形成されたメモリカードの第２の挿入ソケットの前記メモリカードの挿抜を検出する挿抜検出部と、
前記挿抜検出部により前記第１または第２の挿入ソケットに前記メモリカードが挿入されたことが検出された場合には、前記第１または第２の挿入ソケットに挿入されたメモリカードからデータの読み込みを開始する操作を行うための起動画像を生成する画像生成部と、
前記挿抜検出部により前記第１の挿入ソケットに前記メモリカードが挿入されたことが検出された場合には、前記送受信部を介して前記起動画像を前記第１の表示デバイスに表示し、前記第２の挿入ソケットに前記メモリカードが挿入されたことが検出された場合には、前記送受信部を介して前記起動画像を前記第２の表示デバイスに表示する表示制御部と
を備えたことを特徴とする情報処理装置。
【請求項２】
前記挿抜検出部により前記第２の挿入ソケットから前記メモリカードが抜かれたことが検出された場合には、前記第２の挿入ソケットに挿入されたメモリカードからデータの読み込みを行うメモリカードコントローラと前記表示制御部との間の通信ラインが遮断される
こと特徴とする請求項１に記載の情報処理装置。
【請求項３】
第１または第２の表示デバイスに表示する画像を生成する本体デバイスに形成されたメモリカードの第１の挿入ソケットまたは前記第２の表示デバイスに形成されたメモリカードの第２の挿入ソケットの前記メモリカードの挿抜を検出する挿抜検出工程と、
前記挿抜検出工程により前記第１または第２の挿入ソケットに前記メモリカードが挿入されたことが検出された場合には、前記第１または第２の挿入ソケットに挿入されたメモリカードからデータの読み込みを開始する操作を行うための起動画像を生成する画像生成工程と、
前記挿抜検出工程により前記第１の挿入ソケットに前記メモリカードが挿入されたことが検出された場合には、前記起動画像を前記第１の表示デバイスに表示し、前記第２の挿入ソケットに前記メモリカードが挿入されたことが検出された場合には、前記起動画像を前記第２の表示デバイスに表示する表示制御工程と
を備えたことを特徴とする情報処理方法。
【請求項４】
前記挿抜検出工程により前記第２の挿入ソケットから前記メモリカードが抜かれたことが検出された場合には、前記第２の表示デバイス内で前記第２の挿入ソケットに挿入されたメモリカードからのデータの読み込みを行うメモリカードコントローラと前記本体デバイスとの間の通信ラインを遮断する遮断工程を
さらに備えたことを特徴とする請求項３に記載の情報処理方法。
【請求項５】
第１または第２の表示デバイスに表示する画像を生成する本体デバイスに形成されたメモリカードの第１の挿入ソケットまたは前記第２の表示デバイスに形成されたメモリカードの第２の挿入ソケットの前記メモリカードの挿抜を検出する挿抜検出手順と、
前記挿抜検出手順により前記第１または第２の挿入ソケットに前記メモリカードが挿入されたことが検出された場合には、前記第１または第２の挿入ソケットに挿入されたメモリカードからデータの読み込みを開始する操作を行うための起動画像を生成する画像生成手順と、
前記挿抜検出手順により前記第１の挿入ソケットに前記メモリカードが挿入されたことが検出された場合には、前記起動画像を前記第１の表示デバイスに表示し、前記第２の挿入ソケットに前記メモリカードが挿入されたことが検出された場合には、前記起動画像を前記第２の表示デバイスに表示する表示制御手順と
をコンピュータに実行させる情報処理プログラムを格納したコンピュータ読み取り可能な記録媒体。
【請求項６】
前記挿抜検出手順により前記第２の挿入ソケットから前記メモリカードが抜かれたことが検出された場合には、前記第２の表示デバイス内で前記第２の挿入ソケットに挿入されたメモリカードからのデータの読み込みを行うメモリカードコントローラと前記本体デバイスとの間の通信ラインを遮断する遮断手順を
さらにコンピュータに実行させる情報処理プログラムを格納した請求項５に記載の情報処理プログラムを格納したコンピュータ読み取り可能な記録媒体。
【発明の詳細な説明】
【技術分野】
【０００１】
本発明は、情報処理装置、情報処理方法、および情報処理プログラムを格納したコンピュータ読み取り可能な記録媒体に関する。
【背景技術】
【０００２】
従来、ＰＣ（Personal Computer）本体などの情報処理装置は、ＰＣ本体に形成されたメモリカードの挿入ソケットにメモリカードが挿入されたら、メモリカード内の写真や動画などのデータを読み込んでディスプレイに表示することが知られている。メモリカードは、例えばＳＤ（Secure Digital）メモリカードやＭＳ（Memory Stick）などである。
【０００３】
より具体的には、情報処理装置は、メモリカードが挿入されたことを検出すると、メモリカード内のデータを読み込むためのアプリケーションソフトウェアを起動して、データの読み込みを開始する操作を行うための起動画像をディスプレイに表示する。そして、情報処理装置は、マウスなどの入力インターフェースを介してユーザによって起動画像が操作されると、メモリカード内のデータの読み込みを開始する。
【０００４】
一方、近年の情報処理装置は、マルチディスプレイ機能を備えるものが多くある。マルチディスプレイ機能は、例えばＰＣ本体に複数台の表示デバイスを接続して、各表示デバイスにそれぞれ画像を表示する機能である。マルチディスプレイ機能を有する情報処理装置としては、例えばテレビをメインディスプレイとして利用し、他の表示デバイスをサブディスプレイとして利用する場合がある。
【先行技術文献】
【特許文献】
【０００５】
【特許文献１】特開２００４−５４８７９号公報
【発明の概要】
【発明が解決しようとする課題】
【０００６】
ところで、従来技術は、マルチディスプレイ機能を有する情報処理装置のメモリカードのデータの読み取りに関する操作性を向上させることについて改良の余地がある。
【０００７】
すなわち、マルチディスプレイ機能を有する情報処理装置では、ＰＣ本体から離れた場所でＰＣ本体の操作を行えるタッチパネル式のリモートコントローラをサブディスプレイとして利用することが考えられる。この場合には、ＰＣ本体とタッチパネル式のリモートコントローラの両方にメモリカードの挿入ソケットを形成することにより、ＰＣ本体の傍でも、ＰＣ本体から離れた場所でも、メモリカードからのデータの読み込みを行うことができる。
【０００８】
しかし、ＰＣ本体とリモートコントローラの両方にメモリカードが挿入され得る情報処理装置では、メモリカードが挿入された際に起動画像を常にメインディスプレイに表示すると、ユーザの使い勝手が悪い場合がある。例えば、メインディスプレイでテレビ視聴を行いながらリモートコントローラの挿入ソケットにメモリカードを挿入してデータを読み込む場合、メモリカードの挿入に連動して起動画像をメインディスプレイに表示すると、テレビ視聴が妨げられる。また、メモリカードの挿入に連動して起動画像をメインディスプレイに表示するのではなく、ユーザの入力切り替え操作により起動画像をメインディスプレイに表示することも考えられるが、やはりテレビ視聴が妨げられるし、入力切り替え操作が煩雑である。
【０００９】
開示の技術は、上記に鑑みてなされたものであって、マルチディスプレイ機能を有する情報処理装置のメモリカードのデータの読み取りに関する操作性を向上させることができる情報処理装置、情報処理方法、および情報処理プログラムを格納したコンピュータ読み取り可能な記録媒体を提供することを目的とする。
【課題を解決するための手段】
【００１０】
本願の開示する情報処理装置は、一つの態様において、画像を表示する第１および第２の表示デバイスとの間で画像信号を送受信する送受信部を備える。また、本願の開示する情報処理装置は、自装置に形成されたメモリカードの第１の挿入ソケットまたは前記第２の表示デバイスに形成されたメモリカードの第２の挿入ソケットの前記メモリカードの挿抜を検出する挿抜検出部を備える。また、本願の開示する情報処理装置は、前記挿抜検出部により前記第１または第２の挿入ソケットに前記メモリカードが挿入されたことが検出された場合には、前記第１または第２の挿入ソケットに挿入されたメモリカードからデータの読み込みを開始する操作を行うための起動画像を生成する画像生成部を備える。また、本願の開示する情報処理装置は、前記挿抜検出部により前記第１の挿入ソケットに前記メモリカードが挿入されたことが検出された場合には、前記送受信部を介して前記起動画像を前記第１の表示デバイスに表示し、前記第２の挿入ソケットに前記メモリカードが挿入されたことが検出された場合には、前記送受信部を介して前記起動画像を前記第２の表示デバイスに表示する表示制御部を備える。
【発明の効果】
【００１１】
本願の開示する情報処理装置の一つの態様によれば、マルチディスプレイ機能を有する情報処理装置のメモリカードのデータの読み取りに関する操作性を向上させることができる。
【図面の簡単な説明】
【００１２】
【図１】図１は、本実施例にかかる情報処理装置を含む情報処理システムの全体構成を示す図である。
【図２】図２は、ＰＣ本体のハードウェア構成および機能ブロックを示す図である。
【図３】図３は、リモートコントローラのハードウェア構成および機能ブロックを示す図である。
【図４】図４は、本実施例にかかる情報処理装置の動作を説明するための図である。
【発明を実施するための形態】
【００１３】
以下に、本願の開示する情報処理装置、情報処理方法、および情報処理プログラムを格納したコンピュータ読み取り可能な記録媒体の実施例を図面に基づいて詳細に説明する。なお、この実施例により開示技術が限定されるものではない。例えば、以下の実施例は、ＰＣ本体とリモートコントローラが無線通信を行う例を示すが、これには限られず、ＰＣ本体とリモートコントローラを有線接続して通信を行うようにすることもできる。
【実施例】
【００１４】
図１は、本実施例にかかる情報処理装置を含む情報処理システムの全体構成を示す図である。情報処理システム１００は、情報処理装置であるＰＣ本体２００と、ＰＣ本体２００にＨＤＭＩ（High-Definition Multimedia Interface）ケーブル２０１を介して接続されたテレビ３００とを備える。また、情報処理システム１００は、ＰＣ本体２００と無線通信を行うタッチパネル式のリモートコントローラ４００と、ＰＣ本体２００と無線通信を行う入力インターフェース５００とを備える。なお、本実施例はディスプレイの一例としてテレビ３００を挙げて説明するが、テレビ３００に限らず、ＨＤＭＩケーブル２０１を介して接続される表示装置を適用することもできる。また、本実施例はＨＤＭＩに限らず、ＨＤＭＩと同様の画像送受信インターフェースで接続される表示装置を適用することもできる。
【００１５】
図１に示すように、本実施例の情報処理システム１００は、ＰＣ本体２００にテレビ３００およびリモートコントローラ４００が接続される。ＰＣ本体２００は、テレビ３００をメインディスプレイとして利用し、リモートコントローラ４００をサブディスプレイとして利用するマルチディスプレイ環境の情報処理装置である。情報処理システム１００は、例えばテレビ３００でテレビ視聴を行いながら、リモートコントローラ４００のタッチパネルにＰＣ本体２００で起動されるソフトウェアの画像を表示することができる。ＰＣ本体２００で起動されるソフトウェアは、例えば文章編集用のソフトウェア、表計算用のソフトウェア、電子メール用のソフトウェアなどＰＣにインストールされるソフトウェアである。また、情報処理システム１００は、テレビ３００をテレビ視聴用ではなくＰＣ本体２００で起動されるソフトウェアのモニター用として利用することもできる。例えば、情報処理システム１００は、ＰＣ本体２００で動画再生用ソフトウェアにより再生された動画をテレビ３００に表示しながら、電子メール用のソフトウェアをリモートコントローラ４００に表示することができる。これにより、ユーザは、テレビ３００に表示された動画を視聴しながら、手元にあるリモートコントローラ４００で電子メールの確認などを行うことができる。
【００１６】
続いて、ＰＣ本体２００の構成について説明する。図２は、ＰＣ本体２００のハードウェア構成および機能ブロックを示す図である。ＰＣ本体２００は、メモリカードが挿入される挿入ソケット２０２と、挿入ソケット２０２に挿入されたメモリカード内の画像や動画などのデータを読み出す制御を実行するメモリカードコントローラ２０４とを備える。また、ＰＣ本体２００は、アンテナ２０６と、アンテナ２０６を介してリモートコントローラ４００と無線通信を行う無線通信部２０８を備える。無線通信部２０８はリモートコントローラ４００との間で例えば画像信号の送受信を行う。また、ＰＣ本体２００は、テレビ３００とのインターフェースとなるＨＤＭＩインターフェース２１０を備える。また、ＰＣ本体２００は、メモリカードからデータを読み込む際に実行される各種の機能を実現するためのソフトウェアプログラムが格納されるメインメモリ２１２と、メモリカードから読み込まれたデータが格納されるハードディスク２１４とを備える。また、ＰＣ本体２００は、メインメモリ２１２に格納されたソフトウェアプログラムを実行する演算処理部２１６を備える。演算処理部２１６はＣＰＵ（Central Processing Unit）である。
【００１７】
また、演算処理部２１６は、挿入ソケット２０２にメモリカードが挿入された際に、テレビ３００またはリモートコントローラ４００に表示する画像を生成する画像生成部２２０を備える。また、演算処理部２１６は、画像生成部２２０で生成された画像をテレビ３００またはリモートコントローラ４００のいずれに表示するかを制御する表示制御部２１８を備える。また、演算処理部２１６は、挿入ソケット２０２または後述するリモートコントローラ４００の挿入ソケットのメモリカードの挿抜を検出する挿抜検出部２１９を備える。画像生成部２２０と表示制御部２１８と挿抜検出部２１９は、演算処理部２１６でソフトウェアプログラムが実行されることにより実現される機能である。
【００１８】
続いて、リモートコントローラ４００の構成について説明する。図３は、リモートコントローラ４００のハードウェア構成および機能ブロックを示す図である。リモートコントローラ４００は、ユーザの指やタッチペンなどのタッチデバイスによるタッチ操作を検出するタッチパネル４０２と、画像を表示するＬＣＤ（Liquid Crystal Display）などの表示部４０４とを備える。また、リモートコントローラ４００は、タッチパネル４０２から送られる検出信号に基づいてユーザがタッチした位置座標を求めるタッチパネルコントローラ４０６と、表示部４０４に画像信号を送信して画像を表示させる画像変換部４０８とを備える。
【００１９】
また、リモートコントローラ４００は、アンテナ４１０と、アンテナ４１０を介してＰＣ本体２００と無線通信を行う無線通信部４１２を備える。また、リモートコントローラ４００は、無線通信部４１２と接続されたＵＳＢ（Universal Serial Bus）ハブ４１４を備える。なお、タッチパネルコントローラ４０６は、ＵＳＢハブ４１４のＰ２ポートに接続され、画像変換部４０８は、ＵＳＢハブ４１４のＰ１ポートに接続される。
【００２０】
また、リモートコントローラ４００は、ユーザのタッチパネル４０２以外の操作用のスイッチとして、ホームスイッチ４１６と、画面切換スイッチ４１８と、タッチリモコンスイッチ４２０と、フラットポイントスイッチ４２２とを備える。また、リモートコントローラ４００は、これら４つのスイッチからの入力信号を受信するＵＳＢ外部入力部４２４を備える。なお、ＵＳＢ外部入力部４２４は、ＵＳＢハブ４１４のＰ４ポートに接続される。また、画面切換スイッチ４１８は、テレビ３００に表示される画像とリモートコントローラ４００に表示される画像の切り換えを行うためのスイッチである。画面切換スイッチ４１８が押下されると、ＰＣ本体２００は、テレビ３００に表示される画像をリモートコントローラ４００に表示し、リモートコントローラ４００に表示される画像をテレビ３００に表示する。
【００２１】
また、リモートコントローラ４００は、メモリカードが挿入される挿入ソケット４２６と、挿入ソケット４２６に挿入されたメモリカード内の画像や動画などのデータを読み出す制御を実行するメモリカードコントローラ４２８とを備える。また、リモートコントローラ４００は、ＵＳＢハブ４１４とメモリカードコントローラ４２８との間の通信ラインの遮断および接続を制御するＵＳＢスイッチ部４３０を備える。なお、挿入ソケット４２６にメモリカードが挿抜された際の挿抜信号は、メモリカードコントローラ４２８、ＵＳＢスイッチ部４３０およびＵＳＢ外部入力部４２４に入力される。また、ＵＳＢスイッチ部４３０は、ＵＳＢハブ４１４のＰ３ポートに接続される。
【００２２】
また、リモートコントローラ４００は、リモートコントローラ４００内の各部に供給する電力を蓄えるバッテリ４３２と、バッテリからリモートコントローラ内の各部への電力供給を制御する電源制御部４３４とを備える。
【００２３】
続いて、本実施例の情報処理装置の動作を説明する。図４は、本実施例にかかる情報処理装置の動作を説明するための図である。図４では、ユーザがリモートコントローラ４００の挿入ソケット４２６にメモリカードを挿抜した際の、演算処理部２１６と、ＵＳＢ外部入力部４２４と、ＵＳＢハブ４１４と、ＵＳＢスイッチ部４３０との動作を説明する。まず、リモートコントローラ４００の挿入ソケット４２６にメモリカードが挿入されている状態を前提に考える。この状態からユーザがメモリカードを抜取ると、挿抜信号がＵＳＢ外部入力部４２４およびＵＳＢスイッチ部４３０に入力される（ステップＳ１０１）。なお、挿抜信号は、一例として、挿入ソケット４２６とＵＳＢ外部入力部４２４とＵＳＢスイッチ部４３０とを接続するラインの電圧レベルの高低で表すことができる。
【００２４】
ＵＳＢ外部入力部４２４は、挿抜信号を受信したら、メモリカードが抜取られたことを検出し（ステップＳ１０２）、演算処理部２１６にメモリカードが抜取られたことを通知する（ステップＳ１０３）。より具体的には、メモリカードが抜取られたことを示す検出信号は、ＵＳＢ外部入力部４２４からＵＳＢハブ４１４および無線通信部４１２を介して無線信号としてリモートコントローラ４００から出力される。そして、メモリカードが抜取られたことを示す検出信号は、ＰＣ本体２００の無線通信部２０８を介して演算処理部２１６に入力される。演算処理部２１６では、挿抜検出部２１９によって、挿入ソケット４２６からメモリカードが抜取られたことが検出される。なお、ＵＳＢ外部入力部４２４は、一例として、挿抜信号の電圧レベルの高低の変化によって、挿入ソケット４２６からメモリカードが抜取られ、または、挿入ソケット４２６にメモリカードが挿入されたことを検出することができる。
【００２５】
一方、ＵＳＢスイッチ部４３０は、挿抜信号を受信したら、ＵＳＢハブ４１４とメモリカードコントローラ４２８との間の通信ラインを遮断する（ステップＳ１０４）。ＵＳＢハブ４１４は、ＵＳＢハブ４１４とメモリカードコントローラ４２８との間の通信ラインが遮断されたら、ＵＳＢハブ４１４のＰ３ポートをスタンバイ状態に制御する（ステップＳ１０５）。
【００２６】
続いて、ユーザがメモリカードを挿入すると、挿抜信号がＵＳＢ外部入力部４２４およびＵＳＢスイッチ部４３０に入力される（ステップＳ１０６）。ＵＳＢ外部入力部４２４は、挿抜信号を受信したら、メモリカードが挿入されたことを検出し（ステップＳ１０７）、演算処理部２１６にメモリカードが挿入されたことを通知する（ステップＳ１０８）。より具体的には、メモリカードが挿入されたことを示す検出信号は、ＵＳＢ外部入力部４２４からＵＳＢハブ４１４および無線通信部４１２を介して無線信号としてリモートコントローラ４００から出力される。そして、メモリカードが挿入されたことを示す検出信号は、ＰＣ本体２００の無線通信部２０８を介して演算処理部２１６に入力される。演算処理部２１６では、挿抜検出部２１９によって、挿入ソケット４２６にメモリカードが挿入されたことが検出される。
【００２７】
一方、ＵＳＢスイッチ部４３０は、挿抜信号を受信したら、ＵＳＢハブ４１４とメモリカードコントローラ４２８との間の通信ラインを接続する（ステップＳ１０９）。ＵＳＢハブ４１４は、ＵＳＢハブ４１４とメモリカードコントローラ４２８との間の通信ラインが接続されたら、ＵＳＢハブ４１４のＰ３ポートをスタンバイ状態から復帰させる（ステップＳ１１０）。続いて、ＵＳＢハブ４１４は、演算処理部２１６に対して、ＵＳＢハブ４１４とメモリカードコントローラ４２８が接続されたことを示すコネクション通知を行う（ステップＳ１１１）。
【００２８】
演算処理部２１６は、メモリカードの挿入通知を受け、かつ、コネクション通知を受けたら、表示制御部２１８によって、起動画像の表示位置のフラグをリモートコントローラに設定する（ステップＳ１１２）。より具体的には、表示制御部２１８は、メモリカードからデータの読み込みを開始する操作を行うためのソフトウェアの起動画像の表示位置のフラグをリモートコントローラに設定する。続いて、演算処理部２１６は、メモリカードを初期化するための初期化信号をＵＳＢハブ４１４に送信する（ステップＳ１１３）。初期化信号は、ＵＳＢハブ４１４を介してメモリカードコントローラ４２８に送られ、メモリカードコントローラ４２８によりメモリカードの初期化が行われる。メモリカードの初期化が行われたら、ＵＳＢハブ４１４は、初期化が終了したことを表す初期化終了信号を演算処理部２１６に送信する（ステップＳ１１４）。
【００２９】
演算処理部２１６は、メモリカードからデータの読み込みを開始する操作を行うためのソフトウェアを起動する（ステップＳ１１５）。ここで、画像生成部２２０によって、メモリカードからデータの読み込みを開始する操作を行うための起動画像が生成される。続いて、演算処理部２１６は、起動画像の表示位置のフラグがリモートコントローラに設定されているか否かを表示制御部２１８によって確認する（ステップＳ１１６）。演算処理部２１６は、起動画像の表示位置のフラグがリモートコントローラに設定されている場合には（ステップＳ１１６でＹＥＳ）、表示制御部２１８によって、無線通信部２０８を解して起動画像をリモートコントローラ４００に表示する（ステップＳ１１７）。一方、演算処理部２１６は、起動画像の表示位置のフラグがリモートコントローラに設定されていない場合には（ステップＳ１１６でＮＯ）、表示制御部２１８によって、ＨＤＭＩインターフェース２１０を介して起動画像をテレビ３００に表示する（ステップＳ１１８）。なお、起動画像の表示位置のフラグがリモートコントローラに設定されていないということは、挿入ソケット２０２にメモリカードが挿入されたことが検出されて起動画像が生成されたことを示しているので、起動画像をテレビ３００に表示する。
【００３０】
以上のように、本実施例のＰＣ本体２００は、挿入ソケット２０２にメモリカードが挿入された場合には、メモリカードからデータの読み込みを開始する操作を行うための起動画像をテレビ３００に表示する。一方、ＰＣ本体２００は、リモートコントローラ４００の挿入ソケット４２６にメモリカードが挿入された場合には、起動画像をリモートコントローラ４００に表示する。したがって、ＰＣ本体２００は、例えばユーザがテレビ３００でテレビ視聴を行いながら、手元のリモートコントローラ４００を用いてメモリカードのデータを読み込んで写真や動画の表示を行う場合の操作性を向上させることができる。すなわち、ＰＣ本体２００が、挿入ソケット４２６にメモリカードが挿入された際に起動画像をテレビ３００に表示したら、ユーザのテレビ視聴が妨げられるので好ましくない。これに対して、本実施例のＰＣ本体２００は、挿入ソケット４２６にメモリカードが挿入された際に、起動画像をリモートコントローラ４００に無線送信してリモートコントローラ４００に表示するので、ユーザのテレビ視聴が妨げられない。その結果、本実施例のＰＣ本体２００は、マルチディスプレイ機能を有する情報処理装置のメモリカードのデータの読み取りに関する操作性を向上させることができる。
【００３１】
また、本実施例のリモートコントローラ４００は、挿入ソケット４２６にメモリカードが挿入されていないときには、ＵＳＢハブ４１４とメモリカードコントローラ４２８との間の通信ラインをＵＳＢスイッチ部４３０によって遮断する。したがって、本実施例のリモートコントローラ４００は、ＵＳＢハブ４１４で消費する１ポートあたりの電力を抑制することができる。特に、リモートコントローラ４００は、リモートコントローラ４００に内蔵されたバッテリ４３２から給電を行うデバイスであるので、消費電力を抑制することによりユーザの充電作業やバッテリ交換作業の作業負担を軽減できる。
【００３２】
また、本実施例のリモートコントローラ４００は、メモリカードの挿抜信号を、ホームスイッチ４１６や画面切換スイッチ４１８からの入力を受け付けるＵＳＢ外部入力部４２４を介してＰＣ本体２００に送信する。したがって、リモートコントローラ４００は、ＵＳＢスイッチ部４３０によりメモリカードコントローラ４２８とＵＳＢハブ４１４との通信ラインが遮断されているときでも、迅速に挿抜信号をＰＣ本体２００に送信することができるので好ましい。
【００３３】
また、本実施例のＰＣ本体２００は、挿入ソケット４２６にメモリカードが挿入されて起動画像をリモートコントローラ４００に表示した後、画面切換スイッチ４１８が押下されたら、起動画像をテレビ３００に表示することができる。一方、ＰＣ本体２００は、挿入ソケット２０２にメモリカードが挿入されて起動画像をテレビ３００に表示した後、画面切換スイッチ４１８が押下されたら、起動画像をリモートコントローラ４００に表示することができる。これにより、ＰＣ本体２００は、一旦起動画像が表示された後にも、起動画像をテレビ３００またはリモートコントローラ４００に任意に表示することができるので、メモリカードのデータの読み取りに関する操作性を向上させることができる。
【００３４】
なお、本実施例は、主に情報処理装置、情報処理方法を中心に説明したが、本発明は、あらかじめ用意された情報処理プログラムをコンピュータで実行することによって、上述の実施例と同様の機能を実現することができる。すなわち、情報処理プログラムは、挿入ソケットのメモリカードの挿抜を検出する挿抜検出手順をコンピュータに実行させる。挿抜検出手順はより具体的には、第１または第２の表示デバイスに表示する画像を生成する本体デバイスに形成されたメモリカードの第１の挿入ソケットまたは第２の表示デバイスに形成されたメモリカードの第２の挿入ソケットのメモリカードの挿抜を検出する。また、情報処理プログラムは、挿抜検出工程により第１または第２の挿入ソケットにメモリカードが挿入されたことが検出された場合には、起動画像を生成する画像生成手順をコンピュータに実行させる。起動画像はより具体的には、第１または第２の挿入ソケットに挿入されたメモリカードからデータの読み込みを開始する操作を行うための画像である。また、情報処理プログラムは、表示制御手順をコンピュータに実行させる。表示制御手順はより具体的には、挿抜検出手順により第１の挿入ソケットにメモリカードが挿入されたことが検出された場合には、起動画像を第１の表示デバイスに表示する。また、表示制御手順は、第２の挿入ソケットにメモリカードが挿入されたことが検出された場合には、起動画像を第２の表示デバイスに表示する。
【００３５】
また、情報処理プログラムは、挿抜検出手順により第２の挿入ソケットからメモリカードが抜かれたことが検出された場合には、メモリカードコントローラと本体デバイスとの間の通信ラインを遮断する遮断手順をコンピュータに実行させることができる。メモリカードコントローラは、第２の表示デバイス内で第２の挿入ソケットに挿入されたメモリカードからのデータの読み込みを行うコントローラである。なお、情報処理プログラムは、インターネットなどの通信ネットワークを介してコンピュータに配布することができる。また、情報処理プログラムは、コンピュータに設けられたメモリ、ハードディスク、その他のコンピュータで読み取り可能な記録媒体に記録され、コンピュータによって記録媒体から読み出されることによって実行することもできる。
【符号の説明】
【００３６】
１００ 情報処理システム
２００ ＰＣ本体
２０２ 挿入ソケット
２０４ メモリカードコントローラ
２１６ 演算処理部
２１８ 表示制御部
２１９  挿抜検出部
２２０ 画像生成部
３００ テレビ
４００ リモートコントローラ
４２４ ＵＳＢ外部入力部
４２６ 挿入ソケット
４２８ メモリカードコントローラ
４３０ ＵＳＢスイッチ部
【図１】
0005408056.tif 000002
【図２】
0005408056.tif 000003
【図３】
0005408056.tif 000004
【図４】
0005408056.tif 000005